(57)【要約】      （修正有）【課題】  小さい握力でノブを回せ、かつドアーノブカバーとノブとの間で空回りしないドアーノブカバーの取付方法を提供する。【解決手段】  年寄りでも簡単にノブ７にドアーノブカバーを取付けできる挿入補助具を考案した。【選択図】  図１
2006249900.tif 000002
【特許請求の範囲】
【請求項１】
伸縮性のあるゴム或いは樹脂からなる筒１３を片方から外側に巻き、巻き筒３とし、巻き始め９を外側に向けて、少なくとも一部が筒状である筒１の片方の外側に配置する、挿入補助具の付いたドアーノブカバー。
【請求項２】
少なくとも一部が筒状である筒１の内部に当該筒１が内側にたわまないように芯２となる物を挿入した請求項１からなる、挿入補助具の付いたドアーノブカバー。
【請求項３】
筒１に切れ目５を入れたことを特長とする、請求項１、請求項２からなる、挿入補助具の付いたドアーノブカバー。
【請求項４】
筒１の一部を凸形にしその凸部６を外側に折り返し巻き筒３を固定する、請求項１、請求項２，請求項３，からなる、挿入補助具の付いたドアーノブカバー。
【請求項５】
巻き筒３に筒１を挿入しシュリンク等の包装材４で、包装材４が筒１の筒の内側にはかからない様に、包装材４により巻き筒３を筒１の外側に固定する。請求項１、請求項２，請求項３，からなる、挿入補助具の付いたドアーノブカバー。
【発明の詳細な説明】
【発明の詳細な説明】
【産業上の利用分野】
【０００１】  文房具、梱包道具
【背景技術】
【０００２】従来のドアーのノブカバーとして、一定の高温にすると収縮する樹脂あるいは、伸縮性のある素材或いは伸縮性の素材を使用した繊維などがあった。しかし収縮させる樹脂性のものは、ドアーの近くで高温の熱源が必要であり実用的ではなかった。伸縮性のある素材或いは伸縮性の素材を使用した繊維などの場合、ドアーノブと該当の素材で出来たカバーが空回りしない様にする為には、摩擦抵抗の大きい素材でドアーノブよりいくぶん小さくする必要があった。このため、すべり難く、ノブより小さいカバーをノブに挿入し被せるのは非常に難しかった。又、カバーをノブに挿入し易くするとカバーの締め付け力が不足しカバーとノブの間で空回りしていた、この様な問題点があった。
【発明が解決しょうとする課題】
【０００３】本発明は、お年寄り、身体的弱者のかたでも簡単に取り付けが出来て、小さい握力でノブを回せる様にし尚かつカバーとノブが空回りしない様にする事にある。
【課題を解決するための手段】
【０００４】摩擦抵抗の大きい素材で尚かつ、伸縮性のある、シリコーンゴム、ラテックスゴムなどの素材で筒１３（図４。図５）を形成し、これを片方から外側に、渦巻き状に巻き、巻き筒３とする。切れ目５を持った、筒１の内側に芯２を挿入する。筒１は、少し厚めの紙、あるいは柔軟性のある樹脂などを丸めて筒状にする、筒１は図２のように突き合わせる、あるいは図３のように重ね、次のように構成する。筒１の切れ目５のある側の外側に、巻き筒３の巻き始め側９を切れ目５の方向にしてはめ込み、巻き筒３が巻き戻らないようにシュリンク包装等による包装材４で固定する。図１使用方法は本発明品の筒１の切れ目５の側をドアーのノブに当て、筒１を押すとノブ７で芯２は、ノブが入った分（矢Ａ１０。図７）だけ押し出されるため、切り込み５の入った、筒１の先端は巻き筒３の収縮力で押さえられ内側に曲がりノブ７に密着する。この時点で、包装材４を取り払う。図８、あるいは短冊部６のミシン目８（図３）から短冊部６（図６）を切り取ることで、巻き筒３は巻き戻ろうとするので矢Ｂ、１１の方向に手を添えて巻き戻してやると、巻き筒３はノブ７の表面の先から後部に向かって巻き付いて行く図９。ノブ７の後部まで完全に被さった時点（図１０）で、芯２の入った筒１を矢Ｃ（１２）方向に引き抜くとノブ７に密着し空回りしないカバーが被さる（図１１）この様にすることでノブの表面に収縮力により空回りがしないノブカバーを簡単に装着でき、ノブカバーが摩擦係数が大きい素材で尚かつ収縮性のある、シリコーンゴムなどであるために本発明は小さな握力も回せるドアーノブカバとする事ができる。
【実施例】
【０００５】摩擦抵抗の大きい素材で尚かつ、伸縮性のある、シリコーンゴム、ラテックスゴムなどの素材で筒の径が同じ筒１３（図４）或いは筒の径が違う筒１３（図５）を形成する。筒１３の内径はノブ７の一番径の小さい部分より若干小さくする。筒１３には、着色したり、蛍光材である蓄光材を練り込むことで見易くできる。これを片方から外側に渦巻き状に巻き、巻き筒３（図１）とする。筒１はノブ７の径より少し大きく、少し厚めの紙、あるいは柔軟性のある樹脂などを丸めて筒状にする、筒１は図２のように突き合わせる、あるいは図３のように重ねる。これを次の様に構成する。筒１に外力で筒がつぶれないように芯材として段ボール、発砲スチーロールなどからなる芯２を挿入する。筒１の外側に、巻き筒３の巻き始め側９を切れ目５の方向にしてはめ込み、巻き筒３が巻き戻らないようにシュリンク包装等による包装材４で筒１の内側を除いて固定する。巻き筒３の巻き戻り防止の方法として次の方法もある、切れ目５を持つた筒１の切れ目側の一部を短冊状に伸ばし、この短冊部６を外側に曲げ、巻き筒３を押さえる。図６。短冊部６（図３）には切り取りのためのミシン目８、を設ける。以上の様にして筒１の外側の片方に、筒状で伸縮性のある筒１３を巻いた巻き筒３を包装材或いは折り返した筒の一部である短冊部６で固定する。
【発明の効果】
【０００６】使用方法は本発明品の筒１の切れ目５の側をドアーのノブに当て、筒１を押すとノブ７で芯２はノブが入った分（矢Ａ１０。図７）だけ押し出されるため、切り込み５の入った、筒１の先端は巻き筒３の収縮力で押さえられ内側に曲がりノブ７に密着する。この時点で、包装材４を取り払う。図８、あるいは短冊部６のミシン目８（図３）から短冊部６を切り取ることで、巻き筒３は巻き戻ろうとするので、矢Ｂ１１の方向に手を添えて巻き戻してやると、巻き筒３はノブ７の表面の先から後部に向かって巻き付いて行く図９。ノブ７の後部まで完全に被さった時点（図１０）で、芯２の入った筒１を引き抜くとノブ７に密着し空回りしないカバーが被さる（図１１）この様にすることでノブ７の表面に収縮力により空回りがしないノブカバーを簡単に装着できる、ノブカバーとなる収縮性のある筒１３は、摩擦係数が大きい素材で収縮性のある、シリコーンゴムなどで出来ているので、手の握力が小さくても回せ、なおかつ、ノブカバーとノブが空回りしなドアーノブカバーとなった。このようなに挿入が簡単にでき、ノブとカバーが空回りせず、軽く握っても回せるようになった。
【図面の簡単な説明】
【０００７】
【図１】本発明の部分断面図
【図２】筒１の斜図
【図３】筒１の斜図
【図４】収縮性の筒１３の斜図
【図５】収縮性の筒１３の斜図
【図６】短冊部６を採用した本発明の部分断面図
【図７】本発明品をノブに挿入した部分断面図
【図８】図７において包装材４を取り去った部分断面図
【図９】巻き筒３をノブ７に巻き戻した部分断面図
【図１０】巻き筒３をノブ７に巻き戻した部分断面図
【図１１】ノブ７から筒１を外した部分断面図
【符号の説明】
【０００８】        １，筒        ２，芯        ３，巻き筒        ４，包装材        ５，切れ目        ６，短冊部        ７，ノブ        ８，ミシン目        ９，巻き始め        １０，矢Ａ        １１，矢Ｂ        １２，矢Ｃ        １３，収縮性の筒        １４，巻き終わり
【図１】
2006249900.tif 000003
【図２】
2006249900.tif 000004
【図３】
2006249900.tif 000005
【図４】
2006249900.tif 000006
【図５】
2006249900.tif 000007
【図６】
2006249900.tif 000008
【図７】
2006249900.tif 000009
【図８】
2006249900.tif 000010
【図９】
2006249900.tif 000011
【図１０】
2006249900.tif 000012
【図１１】
2006249900.tif 000013